Podtech/llm-jp-corpus-v4-ja_patent huggingface dataset:
(57)【要約】      （修正有）【課題】浄化装置の移動ルートを複雑な形状を有する湖沼に対応させることを課題とする。【解決手段】位置発信器６、ＧＰＳ受信機２の信号にて湖沼中における浄化装置の位置を場所算出手段で算出し、予め設定した移動ルートに従って移動する様、移動方向算出手段４で算出した結果を推進装置駆条件算出手段５で浄化装置に設置した推進方向を制御する制御装置７の制御量を計算し制御装置を駆動する。また、磁石で浄化装置の推進方向を測定し磁石情報１４とし移動方向算出手段に信号を伝送し浄化装置の推進方向制御を円滑にする。尚、湖沼形状、浄化装置の移動ルートを情報入力装置１０で入力する。入力情報は、表示装置９の表示画面内に出力させ、情報保管装置８で保管する事ができる。【選択図】図１
2007026432.tif 000002
【特許請求の範囲】
【請求項１】
湖沼内を移動する浄化装置において、位置発信機▲６▼とＧＰＳ受信機▲２▼の信号により、浄化装置の位置を場所算出手段▲３▼で計算し、予め情報入力装置▲１０▼で入力した移動ルート▲１３▼に従って移動するよう、移動方向算出手段▲４▼で移動方向をを計算し、計算結果を基に浄化装置の推進方向を制御する制御量を推進装置駆動条件算出手段▲５▼で計算し、制御装置▲７▼を制御することを特徴とする浄化装置の移動ルート制御法。
【請求項２】
請求項１の移動方向算出手段▲４▼で移動方向をを計算する時、浄化装置の移動している方向を磁石で計測した値を磁石情報▲１４▼とし同情報を加味して浄化装置の推進方向を制御する制御量を推進装置駆動条件算出手段▲５▼で計算し、制御装置▲７▼を制御することを特徴とする浄化装置の移動ルート制御法。
【発明の詳細な説明】
【技術分野】
【０００１】  本発明は、湖沼浄化装置の移動ルートを制御する制御装置の制御システムに関するする技術である。
【背景技術】
【０００２】  従来、浄化装置を移動させる制御は移動手段にロープを使用している為、移動ルートは直線又は円運動であり制御システム不要であった。
【発明が解決しようとする課題】
【０００３】  浄化装置の設置場所は複雑な形状をしている湖沼が多い。その為、従来技術の、移動ルートが直線、又は円の軌跡だけでは複雑な形状を有する湖沼には対応する事ができなかった。
【課題を解決するための手段】
【０００４】  上記の課題を解決する為、本発明では、位置発信器▲６▼、ＧＰＳ受信機▲２▼の信号にて湖沼中における浄化装置の位置を場所算出手段▲２▼で算出し、予め設定した移動ルートに従って移動する様、移動方向算出手段▲４▼で算出した結果を推進装置駆条件算出手段▲５▼で浄化装置に設置した推進方向を制御する制御装置▲７▼の制御量を計算し制御装置▲７▼を駆動する。この事により、浄化装置の移動ルートを複雑形状に対応させることができる。
また、浄化装置が実際に移動している方向を磁石で計測し、磁石情報▲１４▼とする。同情報を移動方向算出手段▲４▼に入力し移動方向算出手段▲４▼で計算する値を補正する事により制御装置▲７▼の制御量を調節し、浄化装置の移動を円滑にする。
尚、湖沼形状▲１２▼、浄化装置の移動ルートを情報入力装置▲１０▼で入力する。入力情報は、表示装置▲９▼の表示画面▲１１▼内に出力させる事ができるので移動ルートは湖沼の形状に合わせ自由に決定する事ができる。又、情報保管装置▲８▼で移動ルートの設定結果、移動実績を保管する事ができる。
【発明の実施形態】
【０００５】  次に本発明の実施形態について説明する。
図１は実施形態の制御ループ図の例を示す。図２は図１の表示装置の実施例を示す。浄化装置の位置は、位置発信器▲６▼の信号をＧＰＳアンテナ▲１▼でＧＰＳ装置からの電波で受信し、ＧＰＳ受信機▲２▼で復調し、場所算出手段▲３▼で湖沼内の浄化装置位置を算出する。計算結果は、表示装置▲９▼内の表示画面▲１１▼に表示される。
情報入力装置▲１０▼にて湖沼形状▲１２▼、移動ルート▲１３▼、移動速度、移動回数、移動形態（誤差範囲、停止条件、等）を入力し移動方向算出手段▲４▼に情報を伝送する。
移動方向算出手段▲４▼では浄化装置の位置信号を場所算出手段▲３▼より受信し、予め情報入力装置▲１０▼で入力情報を加味して浄化装置の移動方向を計算する。
この時、浄化装置の実際に移動している方向を、磁石で計測し、同情報を磁石情報▲１４▼より移動方向算出手段▲４▼に情報を伝送することにより、浄化装置の推進方向を効率的に制御する事が可能となる。
推進装置駆動条件算出手段▲５▼では移動方向算出手段▲４▼よりの計算結果を受信し浄化装置に設置してある推進方向を制御する制御装置▲７▼の制御量を計算する。計算された条件を制御装置▲７▼に電送し制御装置▲７▼を駆動する。
浄化装置に設置しされた制御装置▲７▼は、舵の角度、推進装置角度、推進装置回転数、推進装置回転方向、等、浄化装置の推進方向を変化させる装置の変化量を制御する。  尚、推進装置とはスクリュウ、回転パドル、プロペラ、帆、等で浄化装置を移動させる作動力を発揮する動力源をさす。
制御装置▲７▼の単位時間当たりの作動回数は変化させる事ができ、ＧＰＳアンテナ▲１▼で受信する回数を調節できる。
浄化装置が移動した軌跡は表示装置▲９▼に表示し、情報保管装置▲８▼に保管する。
ＧＰＳ受信機▲２▼、位置発信器▲６▼、制御装置▲７▼は浄化装置上に設置するが、他は、陸地側に設置しても良い。両方に設置しても良い。
以上の実施形態は湖沼内の閉鎖水域を示したが、本発明は広い海域でも使用できる。その場合は、情報入力装置▲１０▼で入力される浄化装置の移動ルートは湖沼の形状に制限されない。移動ルートは、目標物よりの座標軸で入力される。又、移動ルートの入力は、模式図ではなく、数式で指示する事も可能である。
又、浄化装置の位置を前記はＧＰＳにて計算している。本発明は浄化装置の位置を他の方法で計算する事も可能である。
【発明の効果】
【０００６】  浄化装置は湖沼内を無人で自由に移動ができるので、湖沼の形状に合わせて浄化装置を湖沼内の必要な場所に移動させることができる。
又、広い水域でも目標物よりの距離を設定する事により任意に浄化装置を移動させることができる。
【図面の簡単な説明】
【０００７】
【図１】本発明の実施例の制御ループ図
【図２】本発明の表示装置実施例
【符号の説明】
【０００８】▲１▼はＧＰＳアンテナ、▲２▼はＧＰＳ受信機、▲３▼は場所算出手段、▲４▼は移動方向算出手段、▲５▼は推進装置駆動条件算出手段、▲６▼は位置発信器、▲７▼は制御装置、▲８▼は情報保管装置、▲９▼は表示装置、▲１０▼は情報入力装置、▲１１▼は表示画面、▲１２▼は湖沼形状、▲１３▼は移動ルート。▲１４▼は磁石情報
【図１】
2007026432.tif 000003
【図２】
2007026432.tif 000004
(57)【要約】【課題】  本発明の課題は、自動販売機を利用する視覚障害者にとって利用しやすい自動販売機を提供することにある。【解決手段】  自動販売機の各商品選択ボタンに音声発生器を接続し、各商品選択ボタンを操作することにより、その商品選択ボタンに相当する商品名の音声信号が音声発生器から携帯電話に転送されるようにし、視覚に障害を持つ自動販売機利用者の利用を容易にした。【選択図】    図１
2007026461.tif 000002
【特許請求の範囲】
【請求項１】
自動販売機の各商品選択ボタンに音声発生器を接続するとともに微弱電波発生装置を設け、各商品選択ボタンを操作することにより、その商品選択ボタンに相当する商品名の音声信号を前記微弱電波発生装置を介して音声発生器から携帯電話に転送することを特徴とする自動販売機。
【発明の詳細な説明】
【技術分野】
【０００１】
本発明は、特に視覚障害者に対する利用性を高めた自動販売機に関する。
【背景技術】
【０００２】
自動販売機は、自動販売機本体内に収容された商品を対価を支払うことを条件として搬出する自動機械であり、無人で商品を販売し得ること、設置する個所が屋内に限らず屋外でも可能なこと、等の点で有人の店舗と異なる特徴を有するものである。自動販売機そのものの構造については種々改良が加えられ、自動販売機利用者側においては、商品を選択するために要する操作も簡単化され、現金のみならずカードを使用することができ、またポイントカードに見られるような種々のサービスも受けることができ、一方自動販売機を管理する側においては、自動販売機をネットワークに組み込み、商品の補充、機械の保守について合理化が図られ、管理に要する費用も低減しつつある。
【発明の開示】
【発明が解決しようとする課題】
【０００３】
本発明の課題は、自動販売機を利用する視覚障害者にとって利用しやすい自動販売機を提供することにある。
【課題を解決するための手段】
【０００４】
上述の課題を解決するため、本発明には、自動販売機の各商品選択ボタンに音声発生器を接続するとともに微弱電波発生装置を設け、各商品選択ボタンを操作することにより、その商品選択ボタンに相当する商品名の音声信号を前記微弱電波発生装置を介して音声発生器から携帯電話に転送するようにし視覚に障害を持つ自動販売機利用者の利用を容易にしたものである。
本発明において携帯電話とは、８００ＭＨｚ帯の無線周波数を用いる通常の携帯電話に限らず、ＰＨＳ、その他の種々の可搬式でデータを無線で送受信し得る電子機器をいう。
【発明の効果】
【０００５】
本発明によれば、視覚障害者に対し携帯電話を利用して商品選択情報を提供できるようにしたので、自動販売機の設置位置、また、自動販売機の音声発生部から発信される音声を携帯電話で聞くことができるようにしたため、視覚障害者も全く他人の目を意識することなく商品を購入することができるなどの効果を奏する。
【発明を実施するための最良の形態】
【０００６】
次に本発明の実施の形態を図に示す実施例について説明する。
図１は視覚に障害を持つ自動販売機利用者のためのシステムの構成図を示す。各自動販売機５１の主制御部５２には商品選択ボタン５３の各商品名の音声信号を合成する音声発生部５４を含み、また主制御部５２には微弱電波インターフェース部５５が接続され、外部の通信機器との交信が可能である。自動販売機の待機状態において自動販売機利用者５６が商品選択ボタン５３を押すと、それに連動して主制御部５２内の音声発生部５４が動作し、その商品選択ボタン５３の該当商品名の音声信号が合成されて微弱電波インターフェース部５５から電波信号として自動販売機利用者５６の携帯電話５７に転送され、その音声を自動販売機利用者５６は耳で聞くことにより、操作した商品選択ボタン５３が自分の希望した商品のものであるか確認することができる。その上で代金を投入し、その商品選択ボタン５３を再び操作することによって所望の商品を搬出させることが出来る。代金後入れ式の自動販売機の場合には、選択が所望のものであれば再度商品選択ボタンを押す必要なく、代金を投入するだけでよく、所望のものでない場合には再度別のボタンを操作すればよい。８００ＭＨｚ帯の携帯電話には微弱電波インターフェース部を備えることが必要であるが、ＰＨＳの場合にはそのトランシーバー機能を利用することにより微弱電波インターフェース部に代えることもできる。
【図面の簡単な説明】
【０００７】
【図１】本発明の実施例の構成図である。
【符号の説明】
【０００８】
５１ 自動販売機
５２ 自動販売機の主制御部
５３ 商品選択ボタン
５４ 音声発生部
５５ 微弱電波インターフェース部
５６ 自動販売機利用者
５７ 携帯電話
【図１】
2007026461.tif 000003
(57)【要約】      （修正有）【課題】ラッチ素子は、２基のＭＯＳ−ＦＥＴと同等の回路動作を１基で担うことができ、電子回路中に使用する素子数を削減できる。【解決手段】Ｐ−Ｎ−ＰダイオードとＮ−Ｐ−ＮダイオードのＮ半導体同士、Ｐ半導体同士の位置が重なるように絶縁して接着したラッチ素子および、当該素子が入出力信号の導通、遮断の状態を維持することによって入出力信号情報を保持する一時記憶の方法。【選択図】図１
2007026625.tif 000002
【特許請求の範囲】
【請求項１】
Ｐ−Ｎ−ＰダイオードとＮ−Ｐ−ＮダイオードのＮ半導体同士、Ｐ半導体同士の位置が重なるように絶縁して接着したラッチ素子（以下、「請求項１のラッチ素子」という。）および、当該素子の２つのダイオード間の入力電位差によって生じる電界効果が入出力信号の導通、遮断の状態を維持することによって、電子回路内における入出力信号情報を保持する一時記憶の方法。
【発明の詳細な説明】
【技術分野】電子回路素子の技術に関する。
【背景技術】
【０００１】ＭＯＳ−ＦＥＴを使用した、従来の主な電子デジタル回路で使用される一時記憶用の基本的なＳ−ＲＡＭは、６個の複数のＭＯＳ−ＦＥＴの組み合わせによって作成される。
【発明の開示】
【発明が解決しようとする課題】
【０００２】より多数のＭＯＳ−ＦＥＴを使用する一時記憶回路は、回路基板上の専有面積と動作電力において不利益がある。
【課題を解決するための手段】
【０００３】電子演算回路に、請求項１のラッチ素子を採用する。
【発明の効果】
【０００４】請求項１のラッチ素子は、２基のＭＯＳ−ＦＥＴと同等の回路動作を１基で担うことができる。したがって、電子回路中に使用する素子数を削減できる。
【発明を実施するための最良の形態】
【０００５】図１のように、Ｐ−Ｎ−ＰダイオードとＮ−Ｐ−Ｎダイオードを絶縁して接着する。当該素子のソースＰ端子に電位”ｈｉｇｈ”、ソースＮ端子に電位”ｌｏｗ”を固定的に入力し、一時的にドレインＰ端子に電位”ｈｉｇｈ”、またはドレインＮ端子に電位”ｌｏｗ”を入力することで当該の素子は入力された信号電位を保持し、一時的にドレインＰ端子に電位”ｌｏｗ”、およびドレインＮ端子に電位”ｈｉｇｈ”を同時に入力することで信号出力の停止状態を維持する。
【実施例】
【０００６】図１の素子、すなわち請求項１のラッチ素子１基の機能は、一意の信号出力の導通と遮断の切り替え動作のみであるため、基本的には、図２のように当該の素子を２基１組で相補的に動作させてＳ−ＲＡＭ等の一時記憶回路として使用する。図２中の入力配線ＩＮもしくはｎ．ＩＮのいずれかに、一時的に電位信号が入力されると、当該回路は新たな信号入力を得るまで、ＯＵＴ、ｎ．ＯＵＴへの信号出力を維持する。
【図面の簡単な説明】
【図１】請求項１のラッチ回路。
【図２】請求項１のラッチ回路２基を用いたＳ−ＲＡＭ回路の実施例。
【符号の説明】
ＩＮ      信号入力配線。
ｎ．ＩＮ      入力ＩＮの反転信号入力配線。
ＯＵＴ    入力ＩＮの信号出力配線。
ｎ．ＯＵＴ    入力ＩＮの反転信号出力配線。
ＳＷ      ＩＮ、ｎｏｔ．ＩＮの入力スイッチ。
【図１】
2007026625.tif 000003
【図２】
2007026625.tif 000004
(57)【要約】【課題】  土砂崩れを起こしやすい場所に差し込み、地中の水分増加を感知し、警報を鳴らして危険を知らせる装置を課題としたものである。【解決手段】（イ）  杭状に形成したパイプ（１）（２）（３）（４）の中に、円筒状容器（１６）の中にポリマー（２０）を封入して、パイプ（３）に設けた開口部（２２）より水分が進入することによるポリマーの膨張を利用し、設けらけた接点（１４）（１５）に接触させ、通電コード（１１）およびバッテリー（１０）警報器（９）により、警報を鳴らす。（ロ）  バッテリーはソーラーパネルを装着した充電式とし、落ち葉等での日陰を避けるために、地上面よりも少し高めに設置する。【選択図】  図２
2007026395.tif 000002
【特許請求の範囲】
【請求項１】
樹脂、非鉄金属等の錆びない素材を、パイプのように中空にして杭状にして地中に差し込めるように成型し、地中の中間に開口部を設ける。
杭状に成型した中に、警報器、充電式バッテリー及び吸水性のある布に充填された吸水性ポリマー、通電コード等を用いて吸水性ポリマーを充填した物体が、開口部より進入する水分により膨張しすることによって、内包された接点が接触して通電ｄ、土砂崩れの危険を警報器によって知らせるものであり、土の質により水分を含むと危険な位置に開口部が適合するように、中間リングで調節が可能な装置。
【発明の詳細な説明】
【技術分野】
【０００１】  この発明は、杭状にしたパイプの中に、円筒状に成型した容器の中に顆粒状の高分子ポリマーを充填しものを挿入したあと、地中に差し込み土砂崩れの原因の一つである大雨によって地中の水分含有量の増加を、パイプ内に装置された高分子ポリマーが吸水し、体積を膨らませることによって電気システムにより接点が接触し、警報を鳴らすものであり、また有線、無線等を用いて統括する部署へも伝達することができる装置に関するものである。
【技術背景】
【０００２】  傾斜地に降った大雨は地表を流れるとともに、地中にしみ込み、そのため地中の水分含有量が増えると、地滑りや土砂崩れを起こす一つの原因となっていた。地中にある水分含有量を感知し、危険を知らせ警報を発する器具等は従来よりなかった。
【発明の開示】
【発明が解決しようとする課題】
【０００３】  杭状になったパイプには継ぎ目を設け、その継ぎ目に接続される中間リングの長さを選別して、土の質よって水分含有が増えた場合に、危険と判断される深さに、ポリマー入りの円筒とパイプの開口部分がが適合するようにして、地中に埋め込む。
雨による地中の水分の増加によって開口部分から雨が進入し、内部に挿入されたポリマーが、水分によって体積を膨らませて接点が移動し、電気回路を接触させて通電すれば警報器が鳴るようにして、土砂崩れの危険を事前に知らせるように解決したものである。
【課題を解決するための手段】
【０００４】      その解決手段を図面により説明すれば、
（イ）杭状に成型されたパイプの最上部分（１）には、警報器（９）とソーラー充電式のバッテリー（１０）を収納する。バッテリーのプラスとマイナス部分に接して通電コード（１１）をパイプ（ハ）の理由により、コード（１１）を長めに余裕をもって接続する。
（ロ）パイプ（１）には天井部分を設け、警報音が通過する穴（５）を数カ所設け、ソーラーパネル（８）を冠した雨除けキャップ（７）が差し込めるように穴（６）を穿つ。雨除けキャップ（７）の地中側の円形突起する高台部分の一カ所を長く成型し、その足の長短によって傾斜が生まれ、本装置を地中に差し込んだ後、ソーラーパネル（８）が水平になるように本装置全体を回して調節する。
（ハ）二段目のパイプ（２）は、土の質によって水分を含むと、最も土砂崩れが懸念される位置の深さに、パイプ（３）の開口部（２２）が適合するように異なる長さでこれを調節する。
（ニ）二段目のパイプ（２）と三段目のパイプ（３）の継ぎ目には、つまみ（１２）と、通電のための接点（１４）を取り付け、コード（１１）に接続するようにして支え具（１３）を設ける。
（ホ）三段目のパイプ（３）には、水分を含むと膨張するポリマーを内包した円筒状の物体（１６）が入り、この円筒状の物体は上部及び下部の部分をパイプ（３）よりやや小さく円盤状に成型して円型筒物体（１６）の円盤状の上部（１７）には通電用接点（１５）を設け、コード（１１）に接続する。
（ヘ）上部円盤状（１７）と下部の円盤状（１８）の間に、その間を吸水性のある布（１９）で織目が斜めになるようバイヤス状に巻くように取り付け、内部に顆粒状ポリマー（２０）を充填する。
（ト）四段目のパイプ（４）には、円筒の物体（１６）の底面が固定される突起（２１）を上部に設け、下部は先端を針状に成型して地中に差し込み易くする。
【発明の効果】
【０００５】  本発明の土砂崩れ感知警報器を地中に差し込み使用すれば、大雨によって地中の水分含有量が増え、その結果本装置が作動することにより、土砂崩れが発生する前に警報を発し、危険をしらせることができる。
【発明を実施するための最良の形態】
【０００６】  本感知警報器は、吸水ポリマーを封入された部分が円筒型であり、それがパイプの開口部に接しているため、開口部より水分が進入し、円筒型内部にあるポリマーを膨張させ、相互の接点が接触して警報を鳴らすものであり、従って水分を含むことによって、地中の最も土砂崩れが起こり易い位置に開口部がくるようにして差し込む。土の質によって開口部を移動させる場合には、中間のパイプの長さを替え、開口部が地中の適当な位置にくるようにして使用する。
【実施例１】
【０００７】  本感知警報器を、中間リングで地中の水分を含有すると危険な位置に調節して地中に差し込み、地中の水分量が増加した場合に、警報音が鳴るようにし、電源はソーラーパネル対応のバッテリーであるため、バッテリーは絶えず電力を貯えることができる。落ち葉等で陰になる場合を考慮して、ソーラーパネルの位置は地表面より少し高めになるように設置する。
【図面の簡単な説明】
【０００８】
【図１】  本発明の完成した形の斜視図
【図２】  本発明の断面図
【図３】  本発明が実施された場合の斜視図
【符号の説明】
【０００９】１は、一段目のパイプ
２は、二段目のパイプ
３は、三段目のパイプ
４は、四段目のパイプ
５は、警報音通過口
６は、キャップ差し込み口
７は、雨除けキャップ
８は、ソーラーパネル
９は、警報器
１０は、バッテリー
１１は、コード
１２は、つまみ
１３は、支え具
１４は、接点
１５は、接点
１６は、円筒型物体
１７は、上部円盤
１８は、下部円盤
１９は、布地
２０は、ポリマー
２１は、突起
２２は、開口部
【図１】
2007026395.tif 000003
【図２】
2007026395.tif 000004
【図３】
2007026395.tif 000005
(57)【要約】【課題】  足指の間のツボや土踏まずのツボ等を的確かつ程よい刺激で短時間の作業でマッサージする方法。【解決手段】縄縛りマッサージ用に処理をした麻縄にて、足指の間や土踏まず、脹脛のツボを縛る事により、短時間で長時間のツボを刺激出来る。マッサージに使用する縄は麻縄を３〜４時間ぐらいお湯を代えながら煮込み、その後乾燥させて、麻縄から出るケバを焼いた後、馬油にてなめしたものを使用すると良い。【選択図】  図１
2007050195.tif 000002
【特許請求の範囲】
【請求項１】
縄縛りマッサージ用に処理をした麻縄にて、足指の間や土踏まず、脹脛のツボを縛る事により、短時間の作業で、長時間のツボを刺激出来る方法。
【請求項２】
マッサージに使用する縄は麻縄を３〜４時間ぐらいお湯を代えながら煮込み、その後乾燥させて、麻縄から出るケバを焼いた後、馬油にてなめしたものを使用する。
【発明の詳細な説明】
【技術分野】
【０００１】本発明は短時間の作業にてマッサージ効果を出す為の縛り方や道具に関するものである。
【背景技術】
【０００２】
【特許文献１】
【特許文献２】
【非特許文献１】
【非特許文献２】
【発明の開示】
【発明が解決しようとする課題】
【０００３】人によるマッサージは耐えず相手のツボを刺激する事により執行される為、体力と時間を使う。
【課題を解決するための手段】
【０００４】縄縛りマッサージ用に処理をした麻縄にて、足指の間や土踏まず、脹脛のツボを縛る事により、短時間の作業で、長時間のツボを刺激出来る方法。
マッサージに使用する縄は麻縄を３〜４時間ぐらいお湯を代えながら煮込み、その後乾燥させて、麻縄から出るケバを焼いた後、馬油にてなめしたものを使用する。
【発明の効果】
【０００５】従来のマッサージは人により、ツボを刺激するものと、各種マッサージ機によるものがあるが、前者は執行者の体力と時間を使い、後者は脚全体のツボ等を上手く刺激出来るものが無いが、縄の縛りを用いる事によって、短時間の作業により、患者の脚に程よくマッサージ効果を与える事が出来る。
【発明を実施するための最良の形態】
【０００６】縛りマッサージ用に処理をした麻縄を二つ折りする。折った部分に縄の先端を通して足首に１回半ぐらい巻く。その後、縄を二つに分け、指の間に通し、足首に引っ掛ける作業を２回する事により、足指の間の全てに縄が掛かり、指の間のツボを刺激する。その後、土踏まずと足の甲を２重に戻した縄で３回ぐらい巻く事によって、土踏まずを刺激する事が出来る。その後、脹脛に縄を巻き付けて固定し、脹脛も刺激する。
【図面の簡単な説明】
【０００７】
【図１】縄縛りマッサージをしている脚
【符号の説明】
【０００８】１ａ  麻縄を二つ折りにし、折った部分に縄の先端を通して足首に１回半ぐらい巻く。
２ａ  縄を二つに分け、指の間に通し、足首に引っ掛ける作業を２回し、足指の間の全てに縄を掛ける。
３ａ  土踏まずと足の甲を２重に戻した縄で３回ぐらい巻く。
４ａ  脹脛に縄を巻き付けて固定する。
【図１】
2007050195.tif 000003
(57)【要約】【課題】  従来、乗物などの仮眠で他人に寝顔を見られたくないとき、顔を下や横に向けたり、顔を手やハンカチーフ等で覆っていた。  また病気で大きく口を開けたまま病臥している患者は、だいたい口を開けたまま寝かされていて、外来者に異様な感じを与えていた。  本発明は以上のときに、顔や口を隠すマスクである。【解決の手段】  鼻、口、あごから離しておおう、薄く撓みやすい硬質プラスチックのシート２とクリップ５でなるマスク１を、眼鏡のテンプル４にクリップ５で挟着する。【選択図】  図１
2007050196.tif 000002
【特許請求の範囲】
【請求項１】
薄く撓みやすい硬質プラスチックのシート２を、顔面から離して湾曲させて、鼻、口、あごをおおう形状大きさに形成したシート２の上辺の両端部から上方に突起面３を形成して、その突起面３に眼鏡のテンプル４を挟むクリップ５・５を突設した顔用のマスク。
【請求項２】
マスク１の鼻も口に相当する位置に単数または複数の数の通気穴７をあけ、呼気を直接マスク１の外に排出するように形成した請求項１の顔用のマスク。
【発明の詳細な説明】
【技術分野】
【０００１】  本発明は、鼻、口を覆うマスクに関する。
【背景技術】
【０００２】  従来の鼻、口を覆うマスクは、マスクのシートの両側に紐の輪またはゴム輪を設けて耳に掛けたり、ヘッドバンドを頭に回して着用していた。
【発明の開示】
【発明が解決しようとする課題】
【０００３】  本発明は、旅行の乗り物のなかで、他人に寝顔を見られずに仮眠したいとき、また病気で口が閉じられずに、口を大きく開けて病臥している患者の、大きくあけた口を見えないようにするマスクである。【０００４】  従来、乗り物の中で仮眠するとき、顔を下や横に向けたり、顔を手やハンカチーフ等でおおって、寝顔が見えないようにしていた。
また病気で口が閉じられず、大きく口をあけたまま病臥している患者は、外来者に異様な感じを与えていた。【０００５】  本発明は前項のときに鼻、口、あごを覆うマスクで、簡単にかけられて長時間着用しても不潔にならず、よごれは簡単に清拭できて反復使用でき、自然な呼吸、会話ができるマスクを提供するためのものである。
【課題を解決するための手段】
【０００６】  内面と顔面間に距離を設けて外側に湾曲させたとき鼻、口、あごをおおう形に形成した薄く撓みやすい硬質プラスチックのシート２の上辺の両端から上方に突起面３を形成し、その突起面３に眼鏡のテンプル４を挟むクリップ５を突設したものである。【０００７】  このマスク１は、眼鏡のフレーム６の下側から、片側のクリップ５を、眼鏡のテンプル４の蝶番近くに挟着し、そのシート２を外側に湾曲して、反対側のクリップ５を前記の反対側のテンプル４の蝶番近くに挟着して、マスク１を眼鏡のフレーム６の下に着設して、眼鏡をかける要領でマスクする。
【発明の効果】
【０００８】  マスク１の着脱は、クリップ５の眼鏡のフレーム４への着脱で容易にでき、フレーム４に挟着したマスク１は、眼鏡のかけ外しと同じ要領で顔にかけることができる。
眼鏡から外したマスク１のシート２は平面になり、収納しやすい。【０００９】  このマスクは鼻、口、あごをおおうマスクで、目はおおわないから見ることができ、圧迫感が無く、鼻、口とマスクの間に距離があるから呼吸がらくで、会話もらくにでき、シート２はごく薄くて軽いから、かけたマスクは苦にならない。【００１０】  シート２の内面が口、鼻から離れているから、呼吸によるマスク１の内面のよごれは少なく、そのよごれは容易に清拭でき、反復使用できる。【００１１】  口を開けたまま病臥している患者は、大きくあけた口は顔を他人に見られず。頭の動きが少ないから、眼鏡のテンプル４のベンドの曲線をごく緩やか、または真っ直ぐにすることができる。デンプルてをそのようにしたマスク１の着脱は、さらに容易になり、前項同様、呼吸の抵抗、呼吸によるマスク１の内面よごれは少なく、よごれは容易に清拭でき、消耗品ではないから長期間、低コストに使用できる。
【発明を実施するための最良の形態】
【００１２】  図１１および図２のマスク１は、口、鼻に相当する位置に複数の通気穴７をあけたものである。呼気はこの通気穴で直接シート２の外に排出するから、呼吸の状態をよくなってに呼気を感じさせないようになる。
シート２の左右の縁の直線部に折り代８・８を設けて内側に折り返したマスクは、側面を補強し、湾曲させたシート２の曲面の形状を整える。
また眼鏡を有色のサングラスに挟着したマスク１は、サングラスで目が隠れるから、顔全体をおおったのと同様の効果がある。
【図面の簡単な説明】
【００１３】
【図１】  眼鏡に挟着したマスク
【図２】  眼鏡から外したマスクの裏面
【符号の説明】
【００１４】  １  マスク
２  シート
３  突起面
４  テンプル
５  クリップ
６  目がねのフレーム
７  通気穴
８  折りしろ
９  折り代を折り返した面
【図１】
2007050196.tif 000003
【図２】
2007050196.tif 000004
(57)【要約】【課題】ゴルフファーが犯しやすいヘッドアップによるミスショットを軽減するために、伸縮性を持った紐を提供する。【解決手段】紐の▲１▼のクリップを帽子につけ、▲２▼のクリップを肩に繋ぐ。帽子（ヘッド）と右肩の一体感を感じながらスイングすることにより、ボールを叩く前にボールから目を離してしまうヘッドアップを減少させる。この結果ヘッドアップによるミスショットを減少させることが出来る。【選択図】図４
2007050199.tif 000002
【特許請求の範囲】
【請求項１】
ゴルフスイング時におけるヘッドアップ防止の為に、伸縮性を持たせた紐を以て肩と帽子を繋ぐ。ゴルフプレイヤーに帽子（ヘッド）と肩の一体性を意識させ、ヘッドアップによって発生するミスショットを防止する。
【発明の詳細な説明】
【技術分野】
【０００１】本発明は、ゴルフスイング時におけるヘッドアップによって発生するミスショットをなくす為に、伸縮性を持たせた紐で、帽子（ヘッド）と肩をつなげる。このことにより、帽子（ヘッド）と肩の間の一体感をゴルフプレイヤーに意識させ、ヘッドアップによるミスショットを減少させるものである。
【技術背景】
【０００２】従来は、ヘッドアップを防止する為に、帽子と肩を伸縮性のある紐を以て連結させて、一体感を持たせる用具はなかった。
【発明の開示】
【発明が解決しようとする課題】
【０００３】ゴルフスイング時におけるヘッドアップによって発生するミスショットを防止する。ヘッドアップとは、ゴルフボールをゴルフクラブで叩く（インパクト）の時にボールから目を放してしまうことによって発生する。肩と帽子（ヘッド）に一体感を以てスイングすれば、インパクト前にボールから目を離してしまうミスは減少する。以上が当発明を以て解決しようとする課題である。
【解決手段・効果】
【０００４】伸縮性のある紐を以て、ゴルファーの帽子と肩を連結する。こうすることにより帽子（ヘッド）と肩の一体感を意識する。「肩に押されながら頭を上げる」感覚が身に付きやすくなり、ヘッドアップによって発生するミスショットが減少する。また、伸縮性を持たせているため、ヘッドアップをしても、安全性は確保されている。
【図面の簡単な説明】
【０００５】
【図１】本発明の平常時図面である。
【図２】本発明が伸びた状態の図面である。
【図３】本発明の使用状態を示す全体図である。ゴルフプレイヤーがヘッドアップをしている状態を示している。なお、当図では右利きのゴルフプレイヤーを例示している。
【図４】本発明の使用状態を示す全体図である。ゴルフプレイヤーがヘッドアップをしていない状態での本発明品の形態を示している。頭（ヘッド）と肩が離れていないため、当発明品は、伸びていない状態を保たれている。
【符号の説明】
【０００６】  ▲１▼  クリップ（帽子と接続する部分である。）
▲２▼  クリップ（肩と接続する部分である。）
▲３▼  から▲４▼の部分に伸縮性を持たせている。
【図１】
2007050199.tif 000003
【図２】
2007050199.tif 000004
【図３】
2007050199.tif 000005
【図４】
2007050199.tif 000006
(57)【要約】【課題】  初習得者が、ペン・鉛筆・筆などの各種筆記具や、スプーン・箸などの被把持棒の持ち方を習得する際に、掌や手全体の形状や、加える力の欠け具合が解りにくく、また指導しにくかった。【解決手段】  持ち方補助具を、掌や手全体でにぎり込む形で被把持棒に装着して使用する。【選択図】図１
2007050683.tif 000002
【特許請求の範囲】
【請求項１】
掌に握りこむことを特徴する、持ち方を矯正する補助具。
【請求項２】
補助具は手に握りこみやすい形状を特徴として、ペン・鉛筆・筆などの各種筆記具や、スプーン・箸などの被把持棒の持ち方を効率よく習得出来ることを特徴とする請求項１記載の補助具。
【発明の詳細な説明】
【技術分野】
【０００１】  この発明は、筆記具や箸の持ち方の習得を助ける補助具の形状に関する。
【背景技術】
【０００２】  従来の補助具の形状は、図２に示すように、被把持棒本体に装着して指先や指を整えて持ちうるものが一般的である。
【発明の開示】
【発明が解決しようとする課題】
【０００３】  しかしながら、以上の技術によれば、指先や指に力や意識がいきやすく、掌や手全体に加える力のかけ具合が初習得者にとっては解りにくかった。
そこで、この発明は、掌、手全体で、ペン・鉛筆・筆などの各種筆記具や、スプーン・箸などの被把持棒を持ち操作することの感覚がより解りやすくなることを課題とする。
【課題を解決するための手段】
【０００４】  以上の課題を解決するために、この発明は、手に握りこみやすい形状であり、そのことで指および指先がより動きやすくなることを特徴とする持ち方補助具である。また、それに供する材料は、木材・陶器・プラスチックなどが望ましい。
【発明の効果】
【０００５】  この発明によれば、持ち方補助具を掌や手全体で握ることで、指先や指が開放されるので、操作状態が自在となり、利用者には被把持棒がより扱いやすくなる。
【発明を実施するための最良の形態】
【０００６】  この発明の一実施形態を、図１に示す。
持ち方補助具の本体１は木材・陶器・プラスチックなどであり、この本体１には被把持棒に装着するためのヒモ２が一体的に付けられている。【０００７】「実施形態の効果」
この実施形態によれば、球状などで手に握りこみやすく、ペン・鉛筆・筆などの各種筆記具や、スプーン・箸などの被把持棒を一緒に持った時の掌や手の形状を理解しやすい。と同時に指先に自由度が生まれて、指本来の働きが生まれる。【０００８】「他の実施形態」
図１の実施形態では、本体１に脱着の可能なヒモ２が一体的に付けられているが、他の実施形態では、被把持棒と掌や手全体との位置関係が明確になる形が確保出来たときには、ヒモ２は取り外すこともできる。
【図面の簡単な説明】
【０００９】
【図１】この発明の一実施形態を示す斜視図である。
【図２】従来技術を示す斜視図である。
【符号の説明】
【００１０】１  持ち方補助具本体            ２  ヒモ
【図１】
2007050683.tif 000003
【図２】
2007050683.tif 000004
(57)【要約】      （修正有）【課題】  住宅や店舗の建築において最も大切な事は、健康な環境を提供することにある利便性やデザインを犠牲にすることなく健康な環境を提供する。【解決手段】  住宅や店舗の建築において、二酸化チタンや光触媒を建材の段階で担持させれば、住宅・店舗の全ての空間においてゴキブリやダニの忌避する環境と、抗菌、防カビ、有機物の分解、浄化作用が得られる。屋根に太陽光集光装置１を設置し、光ファイバー２を建物の狭隘な壁内４にひきこむ。ひきこまれた太陽光は光ファイバー光照射装置３により壁内を照射し、光触媒反応を誘引する。屋根裏に設置されたブラックライト５は、屋根裏の光触媒と反応する。床下に設置された発光ダイオード６は床下の光触媒と反応する。【選択図】  図１
2007050679.tif 000002
【特許請求の範囲】
【請求項１】
製材、及び、製品加工の工程で二酸化チタン、及び、光触媒を浸透・担持させた建築用木材と集成合板。
【請求項２】
製材、及び、製品加工の工程で二酸化チタン、及び、光触媒を担持した溶剤を浸透させた建築用木材と集成合板。
【請求項３】
製作工程で二酸化チタン、及び、光触媒を浸透・担持させた石膏ボード。
【請求項４】
製作工程で二酸化チタン、及び、光触媒を担持した溶剤を浸透させた石膏ボード。
【請求項５】
請求項１、並びに、請求項２、請求項３、請求項４、の光触媒反応をひきだすために、室内照明や太陽光の届かない暗部における触媒反応を引起す光源の設置。
【発明の詳細な説明】
【技術分野】
【０００１】本発明は、二酸化チタンや光触媒を、製材、及び、製品加工の工程において、木材や集成合板・石膏ボードの表面・裏面・全面等に浸透・担持させ、それらの持つ抗菌、防カビ、消臭、有機物の分解、浄化作用を利用する技術開発である。その技術開発により処理加工された製品を使用した建築物の室内側、壁の内側、床下、屋根裏、システムキッチンの内部、食器棚等の全て空間において、二酸化チタンや光触媒の効果が有効となる。室内照明や太陽光の届かない暗部空間には発光ダイオード光源や、光ファイバーを利用した採光・伝達・照射や、ブラックライト、ＥＬフィルム発光体等の、触媒反応をおこす照明を設置することにより、住宅の全ての空間において触媒の効果が有効となり、ゴキブリやダニが忌避する作用や、シックハウスを引き起す有機物の分解作用、消臭、防カビ、浄化、抗菌作用等を有害な薬品を使用しないで得られる技術である。
【背景技術】
【０００２】従来の技術は、建築物や構造物が竣工した後に二酸化チタンや光触媒を担持した溶剤をスプレーコーティングし、それらのもつ触媒効果を得ていた。そのため触媒溶剤が塗布材の素材（ガラス、カーテン、クロス壁、塗り壁、木材、アルミ等）変更にたいし、溶剤の素材変更が必要であり十分な効果を得るには工程管理等の煩雑な作業が必要であった。更に素材と触媒溶剤の化学反応による変色や、触媒溶剤のもつ色素により想定されない変色の問題が未解決であった。
また、スプレーコーティング可能な範囲もスプレーガンの稼動範囲にとどまり、完全なコーティングは不可能であった。本発明は木材や集成合板、石膏ボードの製作段階において二酸化チタンや光触媒を表面や裏面・全面等に担持させるため、日本式建築、洋式建築を問わず建物や家具の必要とする空間のすべて二酸化チタンや光触媒の処理が可能となり前項に記述したように、ゴキブリやダニ等害虫の忌避する環境と、シックハウスを引き越す有機物の分解作用、消臭、浄化、抗菌、防カビ作用が室内、壁内、床下、屋根裏、システムキッチンの内部、食器棚等に照明や太陽光により得られる。
【発明の開示】
【発明の効果】
【０００３】製材、製品加工の工程で二酸化チタンや光触媒を木材や集成合板・石膏ボード等に担持する方法により、それら建材の全体が機能材としてプレ加工が可能となる。この方法により構造材の床下、フローリング、天井、屋根裏部材や、備品のシステムキッチンの内部、食器棚部材に必要な機能を持つ二酸化チタンや光触媒の選定や、フローリング床材、壁材、建具、備品等の色調の選定が事前に把握が可能となり、商品の新規開発が可能となる。
更に、見えない空間のゴキブリやダニ等害虫の忌避や、有機物の分解処理に発光ダイオード光源や紫外線光源、狭隘な空間に光ファイバーやＥＬフィルム発光体等を設置する事により、『高度な住まいの浄化』が可能となる。
更に、建材は、構造材、フローリング床材、壁材、建具材、家具材と多種多様であり、プレ加工によりそれらの建材には機能の付加設定が任意に出来る。それは具体的にはフローリング材の抗菌、浄化、消臭、任意の塗色、表面硬化が可能であり、更に、構造材の防虫・防蟻は薬品処理により１００％依存されているのが現状であるが  構造材の床下部分に触媒のプレ加工と紫外線光源を設置すれば、薬品の使用量と毒性の低減が可能となり、住宅のトータル環境設計の概念が起因される。
【発明を実施するための最良の形態】
【０００４】本発明は、製材・製品加工の最終工程前後に建材の使用目的により必要とする機能を必要とする面に付加する事である。二酸化チタンや光触媒には様々な化学反応により抗菌、消臭、有機物質の分解、浄化、防カビ作用等があり、更に、無害である。建材の使用目的に管理された処理に基づく商品提供は消費者に対し有益であると同時に、製品加工業者の商品開発が促進される。この事はシックハウスや、有機物アレルギーの問題に建材を使用する段階で消費者が選択出来るシステムが出来上がり、更に、見えない空間のゴキブリやダニ等の害虫の忌避や有機物の分解、防虫、防蟻、抗菌、防カビ等の問題を協調した光源の選択により安全な処理が可能となるため、本発明の命題は、『建材の製品加工の工程での事前処理がもたらす効果は膨大である』ことにある。
更に、発明を実施するための最良の形態は、製品加工の工程における、二酸化チタンや光触媒の建材に担持する方法は、工場設備による容器内曝露浸透やスプレー浸透が考えられる。この方法により組織の内部まで浸透する処理が可能となるために、建築物として出来上がった建材にコーティングする方法と比較すると効果が長く持続する利点がある。構造木材の２面、若しくは４面に二酸化チタンや光触媒を担持させ、床下・壁内・屋根裏部分に発光ダイオードによる可視光や紫外線を照射する方法や、狭隘な空間における光ファイバーを利用した太陽光や紫外線・可視光の照射や、ＥＬ発光フィルムによる照射が考えられる。更に、石膏ボードの被覆シートを網目、又は、多孔とし石膏に担持処理を施す方法や、フローリング床材・壁材・建具の担持処理溶剤の着色変更による塗色の変更や、パイン材の表面硬度を増大させる方法も考えられる。
【図面の簡単な説明】
【０００５】
【図１】家屋の簡単な構造図である。
【符号の説明】
【０００６】１  太陽光集光装置
２  光ファイバー
３  光ファイバー光照射装置
４  壁の内側
５  屋根裏光源（ブラックライト）
６  床下光源（発光ダイオード）
【図１】
2007050679.tif 000003
(57)【要約】【課題】傘を雨で濡れた状態であっても、容易かつ迅速に鞄等に取り付けて、かさ張ることなく持ち歩くことを実現できる傘ホルダーを提供すること。【解決手段】ホルダー本体（１）に、クリップ（２）と、ラバーシート（３）を付けたことを特徴とする傘ホルダーである。【選択図】  図１
2007050224.tif 000002
【特許請求の範囲】
【請求項１】
通常の長尺傘、及び折畳み傘（以下“当傘類”と称す）と、手持ち鞄、ランドセル、リュックサック等の鞄類（以下“当鞄類”と称す）を容易にかつ迅速に接続できることを特徴とする傘ホルダー。
【請求項２】
前記本体は円柱型のパイプでできており、外側にはクリップが取り付けられ、内側にはラバーシートが貼り付けられていることを特徴とした請求項１に記載の傘ホルダー。
【請求項３】
前記円柱型のパイプの側面は、上部から下部にかけて縦に幅３ｃｍで切り取られていて、そこから傘をはめ込むことが出来ることを特徴とした請求項１から２に記載の傘ホルダー。
【請求項４】
前記本体は、当鞄類の外部にあるストラップ部分等に挟み込んで固定できるようにクリップが設けられていることを特徴とした請求項１から３に記載の傘ホルダー。
【請求項５】
前記本体は、防水加工が施され、また傘自体が滑り落ちないように固定できる素材のラバーシートが設けられていることを特徴とした請求項１から４に記載の傘ホルダー。
【発明の詳細な説明】
【技術分野】
【０００１】  本発明は、手持ち鞄、ランドセル、又はリュックサック等の鞄類（以下“当鞄類”と称す）に、長尺傘、又は折り畳み傘（以下“当傘類”と称す）を取り付けられるようにした傘ホルダーに関する。
【背景技術】
【０００２】  従来、長尺傘は通常手で持ち歩かれ、その他に鞄などを一緒に持ち歩いている時には、両手をふさぐことがある。また、折り畳み傘の場合、使用後には濡れているので、そのまま容易に鞄の中に入れることが出来ない等の問題があった。
従来の傘ホルダーに関する技術は特開２００３−７９４１７の如く、上部より傘を差し込んで使用するホルダー型のものや、特開２００４−２０８７３５の如く、折り畳み傘を収納して使用する袋型のものに代表されるが、いずれもかさ張って荷物になったり、手間がかかったりする等、容易かつ迅速に使用することができない。
【発明の開示】
【発明が解決しようとする課題】
【０００３】  本発明は、当傘類を雨で濡れた状態であっても、当鞄類の外側などに容易かつ迅速に取り付けて、かさ張ることなく持ち歩くことを実現できる傘ホルダーを提供することである。
【課題を解決するための手段】
【０００４】  本発明による当傘ホルダーは、図１の当傘ホルダーが示すように、当傘類を挟み込む為の１の本体、当鞄類に取り付ける為の２のクリップ、そして当傘類が滑り落ちない為の３のラバーシートから構成されており、それらは耐水性であることを特徴とする。
【発明を実施するための最良の形態】
【０００５】発明の実施の形態を実施例により図面を参照して説明する。図２において、手持ち鞄の一種のブリーフケースを一例に挙げる。１の当傘ホルダーを、横にしてこの鞄の上蓋部分に横から取り付け、傘を当傘ホルダー側面の切り取った部分に押し込む。この際、当傘ホルダーとこの鞄との接続は図３のように２の当傘ホルダーのクリップ部分で行える。【０００６】次に、図４と図５において、背負う形の鞄の一種である、リュックサックを一例に挙げる。１の当傘ホルダーに傘を差込み、２の当傘ホルダー本体のクリップ部分を４が示す、鞄類についているストラップ部分などに挟み込んで取り付ける。
【発明の効果】
【０００７】当発明により当傘類を使用前、又使用後に拘わらず、容易かつ迅速に携帯できる。特に、鞄に装着が可能という点が、当傘類の持ち歩きを容易にし、その携帯性を向上させる。つまり、片手で手持ち鞄と当傘類を同時にかさ張ることなく持ち歩くことが出来きる。また、ランドセルやリュックサック等の背負う形の鞄の場合は、当傘ホルダーで当傘類をそのような鞄に装着することにより、両手が自由になる。
【図面の簡単な説明】
【０００８】
【図１】この発明の傘ホルダー本体を示す斜視図である。
【図２】当傘ホルダーを手持ち鞄に利用した形態図である。
【図３】当傘ホルダークリップ部分を手持ち鞄に取り付けたときの傾斜図である。
【図４】当傘ホルダーをリュックサックに利用した形態図である。
【図５】当傘ホルダークリップ部分をリュックサックに取り付けたときの傾斜図である。
【符号の説明】
【０００９】１  当傘ホルダー本体
２  当傘ホルダークリップ部
３  ラバーシート
４  鞄のストラップ部
【図１】
2007050224.tif 000003
【図２】
2007050224.tif 000004
【図３】
2007050224.tif 000005
【図４】
2007050224.tif 000006
【図５】
2007050224.tif 000007
(57)【要約】      （修正有）【課題】一枚の大人用の布団とベビー布団の独立した二枚の布団を一体化させる掛布団カバーを提供する。【解決手段】大人専用の掛布団カバー上部の下面に雄面ファスナーを付け、ベビー専用の掛布団カバー上部の上面にも雌面ファスナーを付けることによって、親の肩を冷やさない一体化させた布団カバー。【選択図】図１
2007050223.tif 000002
【特許請求の範囲】
【請求項１】
大人専用の掛布団カバーと、ベビー専用の掛布団カバーとから構成され、当該ベビー専用の掛布団カバーを利用したベビー用掛布団が、当該大人専用の掛布団カバーを利用した大人用掛布団の上部に突出した状態で着脱可能に装着できるように、取付手段を備えたことを特徴とする掛布団カバー。
【発明の詳細な説明】
【技術分野】
【０００１】  本発明は、親が乳幼児を寝かしつける時に、一枚の大人用の布団とベビー布団の独立した二枚の布団を一体化させる掛布団カバーに関するものである。
【背景技術】
【０００２】  従来、ベビー布団を購入しても、夜間などに乳幼児に母乳を与えたり、親の温もりを感じる範囲で乳幼児と寝る方が、長く寝てくれる為、結局一枚の親の掛布団だけで寝ていた。
【発明の開示】
【発明が解決しようとする課題】
【０００３】  それには、次のような問題点があった。
（イ）乳幼児の顔に布団が覆いかぶさらないように寝ている頭の位置に布団を下げる為、      冬場や夏場のクーラーなどで、親の肩が冷え、風邪をひきやすくなっていた。
【課題を解決するための手段】
【０００４】  大人専用の掛布団カバーと、ベビー専用の掛布団カバーとから構成され、当該ベビー専用の掛布団カバーを利用したベビー用掛布団が、当該大人専用の掛布団カバーを利用した大人用掛布団の上部に突出した状態で着脱可能に装着できるように、取付手段を備えたことを特徴とする布団カバーである。
【発明の効果】
【０００５】  面ファスナーによって、親の掛布団を乳幼児の頭の高さに合わせ、ベビー布団をつないだ部分が、親の頭の高さに調節できるため、肩を冷やす事がなくなった。また、乳幼児の顔に布団が覆いかぶさる事がなくなった。
ベビー布団を親の布団の襟に左右上下につけかえる事が出来る。
【発明を実施するための最良の形態】
【０００６】  以下、本発明の実施の形態について説明する。
（イ）大人専用の掛布団カバー（１）の上部の下面に、横２列に５ヶ所づつ雄面ファスナ      ー（３ａ）を設ける。
（ロ）ベビー専用の掛布団カバー（２）の上部の上面にも、上端から約５０ｃｍの位置か      ら下に横２列に５ヶ所づつ雄面ファスナー（３ａ）と適合する位置に雌面ファスナ      ー（３ｂ）を設ける。
本発明は以上の構成によりなっている。これを使用する時は、乳幼児を親の左に寝かせる時は、大人専用の掛布団を包んだ大人専用の掛布団カバー（１）の右側上部下面の雄面ファスナー（３ａ）に、ベビー専用の掛布団を包んだベビー専用の掛布団カバー（２）を親の肩が隠れるように位置を調節して雌面ファスナー（３ｂ）で固定し、同様に乳幼児を親の右に寝かせる時は、大人専用の掛布団カバー（１）の左側上部下面に、ベビー専用の掛布団を包んだベビー専用の掛布団カバー（２）の位置を調節して使用する。
【図面の簡単な説明】
【０００７】
【図１】本発明の分解斜視図
【図２】本発明の全体斜視図
【符号の説明】
【０００８】    １    大人専用の掛布団カバー
２    ベビー専用の掛布団カバー
３ａ  雄面ファスナー
３ｂ  雌面ファスナー
【図１】
2007050223.tif 000003
【図２】
2007050223.tif 000004
(57)【要約】【課題】  うつ伏せに寝た時のまくらを提供する。【解決手段】  うつ伏せに寝た時に、目、鼻、口を圧迫する事無く、かつ空気が滞留する事無く目、鼻、口が乾燥する事を防ぎ、楽に呼吸できるまくらである。【選択図】  図１
2007050222.tif 000002
【特許請求の範囲】
【請求項１】
うつ伏せに寝るための、頭部と右頬、左頬の三ヶ所を支える凹凸を設けた枕。
【発明の詳細な説明】
【技術分野】
【０００１】  本発明は、枕に凹凸を設けたものである。
【背景技術】
【０００２】  従来、一般的な枕、ドーナツ状にした枕、馬蹄形の枕が、あった。
【発明の開示】
【発明が解決しようとする課題】
【０００３】  その為に、次のような問題点があった。
（イ）  うつ伏せに寝ると顔全体が塞がって、呼吸が出来なくなる。
（ロ）  うつ伏せに寝た時に空気が滞留し、目・鼻が乾燥し、呼吸し辛くなる。
（ハ）  顔に負担が掛かり、長時間の使用で目、鼻、顎等々が痛くなる。
（ニ）  本発明は、これらの問題点を解決するために、成されたものである。また、真っ直ぐにうつ伏せに寝る事によって、首・背中・腎部等への負担が掛からない。
【課題を解決するための手段】
【０００４】  枕に切り込みを入れ、凹凸を作り、空洞部を設ける。
以上を特徴とする枕である。
【発明の効果】
【０００５】  うつ伏せに寝た時に、目・鼻・口を圧迫する事無く、かつ空気が滞留する事無く呼吸でき、目・鼻・口が乾燥する事を防ぎ、首・背中・腎臓等への負担を防ぐものである。
【発明を実施するための最良の形態】
【０００６】  以下、本発明の実施の形態について説明する。
（イ）枕に、頭部、両頬を支えられる凹凸を設ける。
【図面の簡単な説明】
【０００７】
【図１】本発明の斜視図
【符号の説明】
【０００８】      １  本体
２  凹部
３  凸部
【図１】
2007050222.tif 000003
(57)【要約】      （修正有）【課題】雨天時の視界の悪い時に、対向車等に対し目立つことで事故防止に資するため、又、ファッションの一つとして自己の主張の一翼を担うため、スイッチを入れることで柄の部分のネオン管たる照明器具が点灯する、照明器具を備えた傘を提供する。【解決手段】透明のＡＢＳ樹脂等の円筒により保護されたネオン管（２）を傘（１）の柄としたことを特徴とする。【選択図】図１
2007050221.tif 000002
【特許請求の範囲】
【請求項１】
スイッチを入れる事により柄の部分のネオン管が点灯する、柄が照明器具となっている傘
【発明の詳細な説明】
【発明の詳細な説明】
この発明は傘の柄が照明器具として使用できる傘に関するものである。従来の傘は雨天時に雨をしのぐ点に重点が置かれており、雨天時の視界が悪くなるような状況において対向車等から目立つには、傘の色を明るいものとするなどの方法に限られていた。又、ファッションとして自己の主張を為すには色若しくは形状でのみ差別化を図るしかなかった。
本発明は、これらの限界を補うために為されたものであり、雨天時に雨をしのぐ他、柄の部分を照明器具として使用する事で対向車等に自己の存在をよりアピールし事故を防ぐとともに、照明器具を点灯するという行為、又はその照明の色等によりファッションとして自己の主張の一翼を担う機能を有するものである。
これを図面について説明すれば、一般的な構造の傘（１）の柄が、防水構造を有する透明のＡＢＳ樹脂等の円筒により保護されたネオン管（２）となっており、取手部分（３）にスイッチ（４）を有するもので、傘と照明器具を一体化させるものである。スイッチを入れることで点灯し、電源は取手部分の中にふた（５）を開けて乾電池等を入れ使用する。又、本発明の使用場面が雨天時であることを考えて、透明のＡＢＳ樹脂等の円筒により保護されたネオン管たる柄（２）と取手部分（３）の接続及び、スイッチ（４）及び電源部のふた（５）は、ゴム等の使用などにより通常使用時での防水構造とする。
【図面の簡単な説明】
【図１】本発明の斜視図（上方）である。
【図２】本発明の斜視図（下方）である。
【符号の説明】
１  傘
２  柄（透明のＡＢＳ樹脂等の円筒により保護されたネオン管）
３  スイッチ
４  取手部分
５  電源のためのふた
【図１】
2007050221.tif 000003
【図２】
2007050221.tif 000004